(57)【要約】      （修正有）【課題】周囲の人々に迅速且つ確実に危急の事態を知らせることができ、しかも、学校の登下校時に防犯用操作器の操作性を損なわずランドセルに取り付けることができ、且つ下校後の外出時に児童が煩わしさを感じず携行し、操作できる防犯用操作器を備えた警報信号発信機能付防犯装置を提供する。【解決手段】警報音を発報する防犯ブザーの機能部分と、道路５２に沿って設置した防犯警報器５０を作動させる警報信号を発信する発信器の機能部分とを有する防犯用操作器３をケース１０に内装する。ケース１０に両機能部分を動作させる操作子を操作する操作用孔を設ける。防犯ブザーによる警報音の発報と発信器からの警報信号の発信とを選択的に作動させる切換操作子を備える。防犯用操作器３が操作子を操作可能にランドセル２０に取り付ける止着ベルトを備える。【選択図】図１
0003125544.tif 000002
【実用新案登録請求の範囲】
【請求項１】
操作子の操作によって警報音を発報する防犯ブザーとしての機能部分と、道路に沿って設置した防犯警報器を作動させるための警報信号を発信する発信器としての機能部分とを有する防犯用操作器を、ケースに内装し、該ケースに上記防犯用操作器の両機能部分を動作させる操作子を外部から操作するための操作用孔を設け、
該防犯ブザーによる警報音の発報と上記発信器からの警報信号の発信とを選択的に作動させるための手段を備え、
上記防犯用操作器が、危急時にその操作子を操作可能な状態でランドセルに着脱自在に取り付ける手段を備えている、
ことを特徴とする警報信号発信機能付防犯装置。
【請求項２】
上記防犯ブザー及び発信器が単一のケーシング内に一体的に収容されている、
ことを特徴とする請求項１に記載の警報信号発信機能付防犯装置。
【請求項３】
上記防犯警報器が、回転赤色灯及び大音響警報音発生器である、
ことを特徴とする請求項１又は２に記載の警報信号発信機能付防犯装置。
【請求項４】
上記ケースが身体にベルト装着可能なホルスター形状を有するものとして、該ケースにおける上記操作用孔を該ホルスターにおける拳銃の引き金位置に設けるとともに、上記ケースにおける操作用孔の内側に収容した防犯用操作器の操作子を、拳銃の引き金に対応する形態とした、
ことを特徴とする請求項１乃至３のいずれか記載の警報信号発信機能付防犯装置。
【請求項５】
上記ケースが携行用小物入れ形状を有するものとして、該ケースにおける上記操作用孔を、該小物入れにおける防犯用操作器の収容位置で、該防犯用操作器の操作子を外部から操作可能な位置に設けた、
ことを特徴とする請求項１乃至３のいずれかに記載の警報信号発信機能付防犯装置。
【請求項６】
請求項４または５に記載のケース内に収容可能な上記防犯用操作器を、ランドセルに着脱自在に取り付け、それらの操作子とランドセルに着脱可能な被せ蓋又は該被せ蓋のカバーとを、該被せ蓋又はカバーの取り外しに応動して上記操作子が操作されるように連結した、
ことを特徴とする警報信号発信機能付防犯装置。
【考案の詳細な説明】
【技術分野】
【０００１】
本考案は、警報音を発報することによって周囲に危急の事態を知らせる機能に加えて、道路に沿って設置した防犯警報器を作動させるための警報信号を発信する発信器としての機能を備えるものとして、それらの各機能によって周囲に危急の事態を迅速且つ確実に知らせることができるようにした警報信号発信機能付防犯装置に関するものである。
【背景技術】
【０００２】
近年、学校の登下校時に限らず、帰宅後の外出時に児童を狙う事件が数多く発生しており、中には幼い命が犠牲になる痛ましい事件も少なくない。
而して、特に小学校に通学している児童は、体格も小柄で体力的に到底大人に太刀打ちできるものではなく、不審者に付きまとわれたり、連れ去られそうになったりした場合などに、その危急の事態を周囲に知らせて救助を求める手段が必要である。
【０００３】
上記のようなニーズに応えるため、近年、多くの小学校が登下校時に児童に防犯ブザーを持たせるようにしているが、地域社会における住民相互の交流が希薄な現代においては、例え住宅街や集合住宅のような多くの人々が往来する場所といえども、実際には周囲の人々の目からは死角となっている場所が多いのも事実であり、そのような場所では、上記防犯ブザーの警報音が発報しても周囲の人々の耳に届かない可能性も否定できず、したがって、そのような死角を可及的になくすためにも、児童が危急の事態に遭遇していることを迅速且つ確実に周囲の人々に知らせて救助を求めることができるようにすることが望まれている。
【０００４】
また、学校から配布される防犯ブザーは、学校の登下校時にランドセルや通学用の手提げ袋に取り付けることを想定したものが主流で、下校後に外出する場合にも常に携行することに配慮したものではないため、ランドセルや手提げ袋に取り付けたまま登下校時にのみ使用され、学校から下校した後の外出時には使用されない場合がほとんどであり、仮に下校後の外出時にランドセルや手提げ袋から取り外して携行した場合でも、身体の周りに無造作にぶらつかせたりするため誤作動の原因となったり、逆に誤作動を防止するためにポケットの中や別途用意したケースや小物入れ等に収納した場合には、防犯ブザーを操作するための操作子がそのケースや小物入れ等の中に隠れてしまい、咄嗟のときに防犯ブザーを操作することができないなど、防犯ブザー自体の操作性が損なわれてしまう場合も考えられる。
このように、防犯ブザーの携行性や操作性に対する対策も急務である。
【考案の開示】
【考案が解決しようとする課題】
【０００５】
如上に鑑みて、本考案の技術的課題は、操作子の操作によって防犯ブザーの警報音を発報させる機能部分と、発信器から警報信号を発信させ、道路に沿って設置した防犯警報器を作動させる機能部分とを有する防犯用操作器をケースに内装し、それらの両機能部分を外部から容易に操作できるように構成することにより、危急の事態に遭遇した場合において、周囲の人々に迅速且つ確実に危急の事態を知らせることができ、しかも、学校の登下校時において、防犯用操作器の操作性を損なうことなくランドセルに着脱自在に取り付けることができるうえに、下校後の外出時においても、児童が煩わしさを感じることなく携行し、操作することができる防犯用操作器を備えた警報信号発信機能付防犯装置を提供することにある。
【課題を解決するための手段】
【０００６】
上記課題を解決するための本考案の警報信号発信機能付防犯装置は、操作子の操作によって警報音を発報する防犯ブザーとしての機能部分と、道路に沿って設置した防犯警報器を作動させるための警報信号を発信する発信器としての機能部分とを有する防犯用操作器を、ケースに内装し、該ケースに上記防犯用操作器の両機能部分を動作させる操作子を外部から操作するための操作用孔を設け、該防犯ブザーによる警報音の発報と上記発信器からの警報信号の発信とを選択的に作動させるための手段を備え、上記防犯用操作器が、危急時にその操作子を操作可能な状態でランドセルに着脱自在に取り付ける手段を備えていることを特徴とするものである。
【０００７】
本考案の好ましい実施形態においては、上記防犯ブザー及び発信器を単一のケーシング内に一体的に収容することができる。
また、本考案の他の好ましい実施形態においては、上記防犯警報器は、回転赤色灯及び大音響警報音発生器とするのが有効である。
さらに、本考案の好ましい実施形態においては、上記ケースが身体にベルト装着可能なホルスター形状を有するものとして、該ケースにおける上記操作用孔を該ホルスターにおける拳銃の引き金位置に設けるとともに、上記ケースにおける操作用孔の内側に収容した防犯用操作器の操作子を、拳銃の引き金に対応する形態とし、あるいは、上記ケースが携行用小物入れ形状を有するものとして、該ケースにおける上記操作用孔を、該小物入れにおける防犯用操作器の収容位置で、該防犯用操作器の操作子を外部から操作可能な位置に設けた形態とすることができる。この場合、これらのケース内に収容可能な上記防犯用操作器を、ランドセルに着脱自在に取り付け、それらの操作子とランドセルに着脱可能な被せ蓋又は該被せ蓋のカバーとを、該被せ蓋又はカバーの取り外しに応動して上記操作子が操作されるように連結するのが有効である。
【考案の効果】
【０００８】
以上に記述した本考案に係る警報信号発信機能付防犯装置によれば、操作子の操作で防犯ブザーの警報音を発報させることによって周囲に危急の事態を知らせることができるうえに、該警報音の発報に連動して発信器から警報信号を発信させることにより、道路に沿って設置した防犯警報器を作動させることができるので、周囲の人々に迅速且つ確実に危急の事態を知らせて救助を求めることができる。しかも、防犯用操作器を内装したケースに設けた操作用孔により、危急の事態に遭遇した場合において該ケースの外部から警報音の発報及び警報信号の発信のための操作を容易に行うことができる。また、防犯ブザーによる警報音の発報と上記発信器からの警報信号の発信とを選択的に作動させるための手段を備えているので、必要に応じて防犯ブザーによる警報音の発報機能のみを使用可能とし、あるいは発信器からの警報信号の発信により防犯警報器を作動させる機能のみを選択的に使用可能とすることができる。
さらに、学校の登下校時において、その操作性を損なうことなくランドセルに着脱自在に取り付けることができるうえに、学校から下校した後の外出時においても、児童が煩わしさを感じることなく携行し、操作することが可能な防犯用操作器を備えた警報信号発信機能付防犯装置を提供することができる。
【考案を実施するための最良の形態】
【０００９】
本考案に係る警報信号発信機能付防犯装置を実施するための最良の形態を図面に基いて詳細に説明するに、図１〜図５は本考案の第１実施例を示している。この警報信号発信機能付防犯装置２は、警報音を発報する防犯ブザーとしての機能と、道路５２に沿って設置された防犯警報器５０を作動させるための警報信号を発信する発信器としての機能とを備えた防犯用操作器３、それを携行するためのケース１０、及びそれを装着するランドセル２０を備え、該防犯用操作器３は上記ケース１０内に取り出し可能に内装され、あるいは上記ランドセル２０に着脱自在に取り付けられる。
すなわち、この防犯用操作器３は、学校の登下校時においては、上記ケース１０から取り出して、危急の事態に遭遇した時に操作子６，７を容易に操作することが可能な状態でランドセル２０に取り付け（図３参照）、一方、下校した後の外出時においては、上記ケース１０内に内装して携行することができるように構成している（図４，５参照）。
【００１０】
上記防犯用操作器３は、図２に示すように、警報音を発報する防犯ブザーとしての機能部分３Ａと、道路５２に沿って敷設された電柱５１等の屋外構造物上に配置した防犯警報器５０を作動させるための警報信号を発信する発信器としての機能部分３Ｂとを、単一のケーシング５内に一体的に内蔵しており、該防犯用操作器３には、上記両機能部分３Ａ，３Ｂの両者を連動して動作させる同一機能の二つの操作子６，７を設けるとともに、それらの操作子６，７による操作を、上記両機能部分３Ａ，３Ｂを連動して動作させる第１の設定状態と、防犯ブザーとしての機能部分３Ａ及び警報信号を発信する発信器としての機能部分３Ｂとを、それぞれ単独で動作させる第２及び第３の設定状態とに切り換える切換操作子８とを備えている。
したがって、この切換操作子８の切り換えにより、上記両機能を連動して、あるいはそれらの機能の一方のみを選択的に作動させることができる。しかしながら、上記切換操作子８を設けることなく、防犯ブザーの警報音及び防犯警報器５０を作動させる警報信号を連動して、または個別的に発する適宜構成を採用することもできる。
【００１１】
上記防犯用操作器３の操作子６，７は、ケーシング５における互いに背向する一対の端面に設けられ、それぞれスイッチを形成するピン状の非通電性操作片６ａ，７ａが挿脱自在に挿入されており、それらのいずれかの操作片６ａ，７ａを抜脱することによって、防犯ブザーの警報音を発報するとともに、その発報に連動して上記防犯警報器５０を作動させるための警報信号を発信器から発信するようにしている。
【００１２】
上記防犯用操作器３における防犯ブザーとしての機能部分３Ａは、操作子６または７の操作によって、該防犯用操作器３のケーシング５に内蔵するブザーを作動させ、周囲に警報音を発報する機能を有するものである。
一方、一般の道路５２に沿って多数設置される上記防犯警報器５０は、道路に沿って敷設された電柱、ポール、又は建築物等の周囲の人々の目が届きやすい構造物上に設置されるもので、図示を省略しているが、上記防犯用操作器３に内蔵された上記機能部分３Ｂにおける発信器から発信された警報信号を受信するための受信器と、周囲の人々に光で危急の事態を知らせる回転赤色灯と、サイレン等の大音響で周囲の人々に危急の事態を知らせる警報音発生器とを備えている。したがって、防犯用操作器３の発信器から一定の受信距離範囲内にある該防犯警報器５０において、その発信器からの警報信号を受信器で受信したうえで、該防犯警報器５０を作動させることができるものである。
なお、この防犯警報器５０は、上記の構成に限定されるものではなく、例えば、該防犯警報器５０の作動に連動して周囲を撮影することが可能な防犯カメラを上記に付加的に備えた構成とすることもできる。
【００１３】
上記防犯用操作器３には、図３に示すように、ランドセル２０に着脱自在に取り付けるための取付手段として、止着ベルト１２が付設され、この止着ベルト１２により、危急時に上記操作子６，７の一方を操作することができる状態、例えば、ランドセル２０の背負いベルト２１等の児童の手が届きやすい場所に、上記操作器３を着脱自在に取り付けることができるようにしている。
なお、上記操作器３の取付手段は、上記止着ベルトに限るものではなく、例えば、ランドセル２０の上記背負いベルト２１に面ファスナーやホック等で止着可能にしたり、容易に着脱可能である他の任意手段を採用することができる。また、上記ランドセル２０の背負いベルト２１に限らず、操作子７の操作が容易に行えるのであれば、ランドセル２０の側面等の適宜箇所等に着脱自在に取り付けることができる。
【００１４】
上記防犯用操作器３をランドセル２０に取り付ける場合、図３に例示するように、ランドセル２０は、その本体２１に対して、被せ蓋２２または該被せ蓋２２のカバーを面ファスナー２４で着脱自在にしたものとして構成し、その被せ蓋２２またはカバーに上記操作子６が、例えば鎖状部材などの連結部材２５で連結される。一方、上記操作子７は、ランドセル２０を装着している児童が危急時に操作しやすい位置に配設される。
このように、ランドセルの本体に対して面ファスナー２４で着脱自在とした被せ蓋２２またはそのカバーに一方の操作子６を連結部材２５で連結すれば、誘拐犯らが背後からランドセル２０に手を掛けて引っ張るなどした場合にその被せ蓋２２が取り外され、それに応動して上記操作子６が操作され、それに伴って上記防犯用操作器３の各機能が作動することになる。
【００１５】
上記防犯用操作器３は、防犯ブザーとしての機能部分３Ａと防犯警報器５０への警報信号の発信器としての機能部分３Ｂとを、単一のケーシング５内に一体的に内蔵した構成としているが、相互に関連動作をさせ得るのであれば、上記機能部分３Ａと機能部分３Ｂとをそれぞれ別々のケーシングに内蔵させ、その一方又は双方に設けた切換操作子８による切り換えで、それぞれに設けた操作子６，７により、それらの機能を相互に連動させて作動させ、あるいはそれらの機能を別々に作動させる構成とすることもできる。
【００１６】
一方、上記防犯用操作器３を内装するためのケース１０は、一例として図４及び図５に示すように、該防犯用操作器３を携行するに際して、児童の身体に密着した状態でベルト１４によって装着可能にするケース本体１５を、拳銃のホルスター形状に形成している。このようなホルスター形状に形成すると、児童の手が容易に届く腰回り近辺で、且つ児童の身体に密着した状態で装着可能である点で有利であり、しかも、児童が激しい運動や動作をした場合でも身体の周りでぶらついたりすることなく、腰回りの近辺で密着した状態で装着することができ、児童に煩わしさを感じさせることなく該防犯用操作器３を携行させることができる。また、拳銃のホルスター形状という児童にとって一種の格好良さを感じさせる体裁とすることで、児童に違和感を感じさせることなく、防犯用操作器３を携行させることができる。
【００１７】
図示したホルスター形状のケース本体１５は、一側をファスナー１５ａによって開閉自在とし、その上部開口部を上方に延設したスナップボタン付きフラップ１５ｂにより開閉自在としたもので、該ケース１５の外側面における拳銃の引き金に対応する位置に、ケース本体１５内に収容した防犯用操作器３の上記操作子６を外部から操作するための操作用孔１５ｄが開設されている。また、ケース本体１５の下部は上記ファスナー１５ａによって閉鎖されない開口部１５ｅとし、防犯用操作器３を該ケース本体１５に内装した際に、該開口部１５ｅから操作子７を外部に露出させた状態で吊下できるようにしている。
【００１８】
上記防犯用操作器３は、上記ケース本体１５の内面に付設したポケット１６内に該防犯用操作器３を収容することにより、該ケース本体１５に固定的に内装されるようにしているが、該ポケット１６の下部には上記操作子７を該ポケット１６から露出させるための孔１６ａが開設され、したがって、防犯用操作器３をポケット１６内に収容しても、上記孔１６ａを介してケース本体１５の下部の開口部１５ｅから操作子７が外部に露出するように構成している。上記防犯用操作器３をケース本体１５に固定的に内装するための手段は、上記ポケット１６に限らず、防犯用操作器３とケース本体１５の内面に付設した面ファスナーで相互に止着するなど、適宜の手段を採用することができる。
【００１９】
一方、上記防犯用操作器３の操作子６は、当該防犯用操作器３をホルスター形状の上記ケース本体１５に内装した際に、該ケース本体１５の操作用孔１５ｄから操作可能な位置に配置されるように構成され、該操作子６自体も拳銃の引き金に対応する形態、すなわち手指をかけるトリガー部を有する操作子６から防犯用操作器３に挿設されるピン状の操作片６ａを突設した構成としている。また、上記トリガー部を有する操作子６は、ケース本体１５の操作用孔１５ｄにおける操作方向の両側に沿って設けた一対のガイド部材１６ｂでガイドするようにしている。このガイド部材１６ｂは、断面略コ字状のレール状部材の開放部側を相対峙させて形成したもので、図４に示すように、ケース本体１５のファスナー１５ａを閉じたときに上記トリガー部の操作方向に沿う上記操作用孔１５ｄの両側に配置されるように、上記ケース本体１５における操作用孔１５ｄの内側に付設されている。
したがって、上記防犯用操作器３をケース本体１５に内装した場合には、上記操作子６のトリガー部が略コ字状のガイド部材１６ｂの開放部内をガイドされる。
【００２０】
このように構成することにより、上記トリガー部による操作子６の操作をより確実に行うことができ、延いては、防犯ブザーによる警報音の発報及び発信器から警報信号を発信することによる上記防犯警報器５０の作動によって、危急の事態を周囲の人々に迅速且つ確実に知らせることができる。
【００２１】
また、上記操作子７は、防犯用操作器３をケース本体１５に内装した際に、上記ケース本体１５の下部の開口部１５ｅから外部に露出した状態で吊下され、このように構成することにより、上記操作子６のみならず、該操作子７の操作によっても、防犯ブザーの警報音を発報させるとともに、発信器から警報信号を発信して防犯警報器５０を作動させることができるので、危急時における咄嗟の行動でいずれか操作しやすい方の操作子６，７を操作することで、危急の事態を周囲の人々に迅速且つ確実に知らせることができる。
【００２２】
上記構成を有する警報信号発信機能付防犯用操作器３は、操作子６，７の操作で防犯ブザーの警報音を発報させることにより周囲に危急の事態を知らせることができるうえに、該防犯ブザーによる警報音の発報に連動して発信器から警報信号を発信させることにより、道路に沿って設置した防犯警報器５０を作動させることができるので、周囲の人々に迅速且つ確実に危急の事態を知らせて救助を求めることができる。しかも、危急の事態に遭遇した場合には、該防犯用操作器３を内装したホルスター形状のケース本体１５の操作用孔１５ｄを通して、該ケース本体１５の外部から防犯ブザーによる警報音の発報及び警報信号の発信のための操作を容易に行うことができる。さらに、学校の登下校時においては、該防犯用操作器３の操作性を損なうことなくランドセル２０に着脱自在に取り付けることができるうえに、学校から下校した後の外出時においても、児童が煩わしさを感じることなく当該防犯用操作器３を携行することができる。
【００２３】
上述した第１実施例では、ケース１０を男児向きの拳銃のホルスター形状としていたのに対し、図６は、上記警報信号発信機能付防犯装置２のケース１０を、女児向けの携行用小物入れ形状とした第２実施例を示している。該ケース１０の主要部を構成するケース本体３５は、前記第１実施例のホルスター状のケース本体１５と同様に、防犯用操作器３を内装するように構成したものである。該ケース本体３５は、図示するように単純な提げ手３４を設けることもできるが、肩掛けベルト、あるいは腰に巻くベルトによって児童の身体に安定的に固定可能に構成することができる。
なお、防犯用操作器３自体の構成は前記第１実施例の場合と変わるところがないので、その構成及び作用についての説明は、特に必要がある場合を除き、第１実施例の場合と同一の符号を付してそれらの説明を省略する。
【００２４】
上記防犯用操作器３は、上記ケース本体３５の内面に付設したポケット３６内に該防犯用操作器３を収容することにより、該ケース本体３５内に固定的に内装されるようにしている。そして、該ポケット３６の下部には、上記操作子７を該ポケット３６から露出させるための孔３６ａが開設されている。したがって、防犯用操作器３をポケット３６内に収容しても、上記孔３６ａを介してケース本体３５の開口部３５ｅから操作子７が外部に露出し、操作可能になる。
【００２５】
上記ケース本体３５における防犯用操作器３の収容位置で、該防犯用操作器３の操作子６を外部から操作可能な位置、すなわち、当該ケース本体３５の外面側のほぼ中央には、外部から上記操作子６のトリガー部を操作するための操作用孔３５ｄを開設している。そして、該操作用孔３５ｄにおける上記トリガー部の操作方向の両側に沿って設けた一対のガイド部材３６ｂにより、該操作子６をガイドするように構成している。このガイド部材３６ｂと操作子６との関連的構成、及びそれらと上記操作用孔３５ｄとの関連的構成は、前記第１実施例の場合と実質的に同様である。それにより、上記防犯用操作器３をケース本体３５に内装した場合には、上記操作子６のトリガー部が操作用孔３５ｄ内においてガイド部材３６ｂによりガイドされるように構成している。
【００２６】
なお、上記防犯用操作器３を内装したケース本体３５は、該防犯用操作器３が収容された部分を除いて実際に小物入れとして使用することができ、小物入れとしての実用性を損なうことなく携行することができる。
【００２７】
ここで、この第２実施例のその他の構成及び作用は、実質的に前記第１実施例と同等であるから、それらの説明を省略する。
なお、本考案に係る警報信号発信機能付防犯装置は、上述の各実施例に記載したホルスター形状や携行用小物入れ形状のケース本体に内装するものに限定されず、例えば、携帯電話用ケースや小型ゲーム機用ケースの形状として、実際に携帯電話や小型ゲーム機を収納した状態で、あるいはそれらに近似した機器を収容した状態で、防犯用操作器を内装可能な構成とすることもでき、すなわち、児童が防犯装置を携行することに煩わしさや違和感を感じることがない適宜の形態とすることができる。
【図面の簡単な説明】
【００２８】
【図１】本考案に係る警報信号発信機能付防犯装置の概念的構成図である。
【図２】防犯用操作器の構成を模式的に示す構成図である。
【図３】同防犯用操作器をランドセルに取り付けた状態を示す外観斜視図である。
【図４】ホルスター状のケースの構成を示す正面図である。
【図５】同ケースを開放した状態を示す正面図である。
【図６】本考案の第２実施例におけるケースの構成を示す部分透過斜視図である。
【符号の説明】
【００２９】
２    警報信号発信機能付防犯装置
３    防犯用操作器
３Ａ  機能部分（防犯ブザー）
３Ｂ  機能部分（発信器）
４ｄ  操作用孔
５    ケーシング
６，７    操作子
８    切換操作子
１０    ケース
１２    止着ベルト
１４    ベルト
１５ｄ，３５ｄ  操作用孔
２０    ランドセル
２２    被せ蓋
５０    防犯警報器
５２    道路
【図１】
0003125544.tif 000003
【図２】
0003125544.tif 000004
【図３】
0003125544.tif 000005
【図４】
0003125544.tif 000006
【図５】
0003125544.tif 000007
【図６】
0003125544.tif 000008